(57)【要約】【課題】  独立して使用できる複数の机を組み合わせ、分離して子供部屋とリビング等の共有スペースに別々に設置したり、あるいは互に連結一体化して子供部屋等の独占スペースに設置したり、子供の成長過程に応じて使用形態を最適に変えることが可能なデスクシステムを提供する。【解決手段】  天板１の高さが固定的なメインデスクＡと、天板９の高さを調節可能なサブデスクＢとを少なくとも備え、メインデスクとサブデスクはそれぞれ独立して使用可能であるとともに、互いの天板の高さを一致させた状態で連結一体化して使用可能であり、子供が小さいときにはサブデスクをリビング等の共有スペースに設置するとともに、メインデスクを子供部屋等の独占スペースに設置し、子供が成長したときにはメインデスクとサブデスクを連結一体化して独占スペースに設置する。【選択図】        図１
2009011459.tif 000002
【特許請求の範囲】
【請求項１】
天板の高さが固定的なメインデスクと、天板の高さを調節可能なサブデスクとを少なくとも備え、メインデスクとサブデスクはそれぞれ独立して使用可能であるとともに、互いの天板の高さを一致させた状態で連結一体化して使用可能であり、子供が小さいときにはサブデスクをリビング等の共有スペースに設置するとともに、メインデスクを子供部屋等の独占スペースに設置し、子供が成長したときにはメインデスクとサブデスクを連結一体化して独占スペースに設置することを特徴とするデスクシステム。
【請求項２】
前記サブデスクの天板の奥行幅を前記メインデスクの天板の奥行幅よりも狭く設定してなる請求項１記載のデスクシステム。
【請求項３】
前記メインデスクとサブデスクは、天板の下面に少なくとも長辺側の前面が開放した箱状の支持枠を固定し、両側に配する脚板体の上端部を前記支持枠の側端面に接合状態で着脱可能にボルト止めするとともに、両側の脚板体に渡して幕板を着脱可能に取付けた構造であり、前記メインデスクの一方の脚板体を外して支持枠の後端面に付け替えるとともに、該メインデスクの天板の短辺側を前記サブデスクの天板の長辺側の一側に寄せて接合した状態で、両天板の下面同士を連結部材にて連結してなる請求項１又は２記載のデスクシステム。
【請求項４】
前記メインデスクは、天板の下面に周囲を余して前記支持枠を固定し、該前面開放の支持枠に引出しを設けて収納部とし、前記脚板体の上端部を支持枠の側端面又は後端面に接合するとともに、天板の下面に接合した状態でボルト止めし、前記脚板体を支持枠の後端面に取付けた際には、前記幕板の一側部を該脚板体の前面に接合した状態で連結してなる請求項３記載のデスクシステム。
【請求項５】
前記サブデスクは、天板の両側部に前記脚板体を受け入れる切欠部を該天板の前端部を残して設け、該切欠部に脚板体の上端部を係合するとともに、前記支持枠の側端面に接合した状態で多段階に高さ調節可能にボルト止めし、前記支持枠には底板を設けて前面開放した収納棚としてなる請求項３記載のデスクシステム。
【発明の詳細な説明】
【技術分野】
【０００１】
本発明は、デスクシステムに係わり、更に詳しくは子供の成長に応じてそれぞれ単独で使用できる複数の机を組み合わせて使用することが可能なデスクシステムに関するものである。
【背景技術】
【０００２】
従来から、独立して使用できる机同士を連結し、あるいは机と書棚、更にはキャビネットを付加して連結して一体化し、用途や好みに応じて機能的な家具を構成できる組替え可能なデスクシステムは各種提供されている。
【０００３】
例えば、特許文献１には、主カウンターと補助カウンターとを段違いに設け、子供と一緒に使用することができる家事用キャビネットが開示されている。また、特許文献２には、それぞれ異型且つ異色の机天板を有し、且つ各机天板に机上パネルを備えた３種類の移動可能な机からなり、これらの複数の机を組み合わせて平面視略コ字状またはＬ字状に配置替え可能に構成したデスクシステムが開示されている。
【０００４】
また、学習机においては、子供の成長に応じて天板の高さを変更できるものや、天板の奥行幅を変更できるものも提案されている。このような学習机は、通常、子供部屋に設置して使用することを想定したものである。
【０００５】
ところで、賢く、よくできる子供に育てるには、前頭連合野を発達させることが一番重要であると言われている。ここで、前頭連合野とは、言語的知性、論理数学的知性、絵画的知性、音楽的知性など、人間のさまざまな基本的な知性を統合するメタレベルの知性としての機能をもつ部位で、人間の脳の中でもっとも高度な機能を担っていることが分かっている。そして、子供の脳の発達、特に前頭連合野の形成には、子供を子供部屋に閉じ込めるのではなく、親や兄弟との会話を自然に多く交わすことができるリビング等の開放的な環境に置くことが重要であるとの研究結果もある。その一方で、静かで落ち着いた雰囲気の中でじっくりと思考することも重要である。
【特許文献１】実開平０５−０６３３３６号公報
【特許文献２】特開２００５−２８７６２０号公報
【発明の開示】
【発明が解決しようとする課題】
【０００６】
そこで、本発明が前述の状況に鑑み、解決しようとするところは、独立して使用できる複数の机を組み合わせ、分離して子供部屋等の独占スペースとリビング等の共有スペースに別々に設置したり、あるいは互に連結一体化して独占スペースに設置したり、子供の成長過程に応じて使用形態を最適に変えることが可能なデスクシステムを提供する点にある。
【課題を解決するための手段】
【０００７】
本発明は、前述の課題解決のために、天板の高さが固定的なメインデスクと、天板の高さを調節可能なサブデスクとを少なくとも備え、メインデスクとサブデスクはそれぞれ独立して使用可能であるとともに、互いの天板の高さを一致させた状態で連結一体化して使用可能であり、子供が小さいときにはサブデスクをリビング等の共有スペースに設置するとともに、メインデスクを子供部屋等の独占スペースに設置し、子供が成長したときにはメインデスクとサブデスクを連結一体化して独占スペースに設置することを特徴とするデスクシステムを構成した（請求項１）。
【０００８】
ここで、前記サブデスクの天板の奥行幅を前記メインデスクの天板の奥行幅よりも狭く設定してなることが好ましい（請求項２）。
【０００９】
更に、前記メインデスクとサブデスクは、天板の下面に少なくとも長辺側の前面が開放した箱状の支持枠を固定し、両側に配する脚板体の上端部を前記支持枠の側端面に接合状態で着脱可能にボルト止めするとともに、両側の脚板体に渡して幕板を着脱可能に取付けた構造であり、前記メインデスクの一方の脚板体を外して支持枠の後端面に付け替えるとともに、該メインデスクの天板の短辺側を前記サブデスクの天板の長辺側の一側に寄せて接合した状態で、両天板の下面同士を連結部材にて連結してなることが好ましい（請求項３）。
【００１０】
具体的には、前記メインデスクは、天板の下面に周囲を余して前記支持枠を固定し、該前面開放の支持枠に引出しを設けて収納部とし、前記脚板体の上端部を支持枠の側端面又は後端面に接合するとともに、天板の下面に接合した状態でボルト止めし、前記脚板体を支持枠の後端面に取付けた際には、前記幕板の一側部を該脚板体の前面に接合した状態で連結してなるものである（請求項４）。
【００１１】
また、前記サブデスクは、天板の両側部に前記脚板体を受け入れる切欠部を該天板の前端部を残して設け、該切欠部に脚板体の上端部を係合するとともに、前記支持枠の側端面に接合した状態で多段階に高さ調節可能にボルト止めし、前記支持枠には底板を設けて前面開放した収納棚としてなるものである（請求項５）。
【発明の効果】
【００１２】
以上にしてなる請求項１に係る発明のデスクシステムは、天板の高さが固定的なメインデスクと、天板の高さを調節可能なサブデスクとを分離しそれぞれ独立して使用することができ、子供が小さいときにはサブデスクを天板の高さを調節してリビング等の共有スペースに設置するとともに、メインデスクを子供部屋等の独占スペースに設置して使用することができ、それによりリビング等の共有スペースで勉強する機会が増え、自然と親や兄弟との会話を通じて脳の発達を促進することができ、また子供部屋等の独占スペースに設置したメインデスクでは、静かで落ち着いた雰囲気の中でじっくりと思考することができ、子供の脳の発達が効果的に促進することが期待できる。また、子供が成長したときには、メインデスクとサブデスクを互いの天板の高さを一致させた状態で連結一体化して子供部屋等の独占スペースに設置し、広い天板を面積を備えたデスクとして使用することができる。このように、本発明は子供の成長過程に最適な態様で使用することができるのである。
【００１３】
請求項２によれば、メインデスクとサブデスクを連結一体化した場合には、サブデスクを脇机としての補助的に使用することができ、また分離してサブデスクをリビング等の共有スペースに設置する場合には、天板の奥行幅が比較的狭いので邪魔になることがなく、設置場所の自由度も広がるのである。
【００１４】
請求項３によれば、メインデスクとサブデスクは、天板の下面に少なくとも長辺側の前面が開放した箱状の支持枠を固定し、両側に配する脚板体の上端部を前記支持枠の側端面に接合状態で着脱可能にボルト止めするとともに、両側の脚板体に渡して幕板を着脱可能に取付けた構造であるので、脚板体を着脱可能に取付けることができるにも係わらず、その取付強度が高い構造であり、特にメインデスクでは一方の脚板体を外して支持枠の後端面に付け替えることができ、またサブデスクでは天板の高さを調節することが可能な構造とすることができ、メインデスクとサブデスクを独立して使用できる態様と、連結一体化した態様とを簡単に実現することができるのである。ここで、メインデスクとサブデスクとを連結一体化するには、メインデスクの一方の脚板体を外して支持枠の後端面に付け替え、該脚板体を外した側の天板の短辺側をサブデスクの天板の長辺側の一側に寄せて接合した状態で、両天板の下面同士を連結部材にて連結するだけで済むのである。
【００１５】
請求項４によれば、メインデスクの天板の下面に固定した前面開放の支持枠に引出しを設けて収納部とすることができ、センター引出し付きの通常構造のデスクを構成でき、天板の下面に周囲を余して支持枠を固定したので、脚板体の上端部を支持枠の側端面又は後端面に接合するとともに、天板の下面に接合した状態でボルト止めすることにより、脚板体を簡単に側部と後部とに付け替えることができるにも係わらず強固に取付けることができるのである。ここで、脚板体を支持枠の後端面に取付けた際には、幕板の一側部を該脚板体の前面に接合した状態で連結することにより、幕板の位置を変更することなく、また後部に付け替える脚板体の取付強度を高めることができるのである。
【００１６】
請求項５によれば、サブデスクは天板両側部に設けた切欠部に脚板体の上端部を係合し、支持枠の側端面に多段階に高さ調節可能にボルト止めしたので、該サブデスクを独立して使用する場合に、天板の高さを子供の体格に応じて調節することができ、特にサブデスクをリビング等の共有スペースに設置して使用する場合に適している。また、切欠部は天板の前端部を残して設けているので、天板の前端部は脚板体よりも前方へ張り出しており、この張り出し部分の下面を利用して前記連結部材によってメインデスクの天板側端部に連結できるので、サブデスクの天板下面に収納棚を設けた場合でも連結部材の接合面積を十分に確保することができ、それにより十分な連結強度が得られる。
【発明を実施するための最良の形態】
【００１７】
次に、添付図面に示した実施形態に基づき、本発明を更に詳細に説明する。図１は本発明のデスクシステムを構成するメインデスクとサブデスクを示し、図２はメインデスクとサブデスクを連結一体化した使用状態を示し、図中符号Ａはメインデスク、Ｂはサブデスク、Ｃはワゴンキャビネット、１は天板、２は脚板体、３は支持枠、４は幕板、５は上棚、６は連結部材をそれぞれ示している。
【００１８】
本発明に係るメインデスクＡは、図１（ａ）、図２〜図５に示すように、平面視長方形の天板１の両側に配する脚板体２，２を、該天板１の下面に固定した少なくとも長辺側の前面が開放した箱状の支持枠３を利用して着脱可能に取付けるとともに、両側の脚板体２，２の後部間に渡して幕板４を取付け、剛性の高い構造としている。本実施形態では、前記メインデスクＡは、主要構成部材が全て木製である。そして、前記天板１の一側部に後述のサブデスクＢを連結部材６，６で互に連結一体化して使用できるようになっている。
【００１９】
そして、前記天板１の後部には上棚５を適宜載置する。また、前記上棚５は、横幅が同じで高さが異なる二つの分割上棚５Ａ，５Ｂとから構成され、この分割上棚５Ａ，５Ｂを上下に積層して適宜な連結手段で連結して二段棚を構成し、左右に配置して適宜な連結手段で連結して横長の一段棚を構成することができるようになっている。
【００２０】
具体的には、前記メインデスクＡは、天板１の下面に周囲を余して前記支持枠３を固定し、該前面開放の支持枠３に引出し７，７を設けて収納部８とし、前記脚板体２の上端部を支持枠３の側端面又は後端面に接合するとともに、天板１の下面に接合した状態でボルト止めし、前記脚板体２を支持枠３の後端面に取付けた際には、前記幕板４の一側部を該脚板体２の前面に接合した状態で連結している。
【００２１】
また、本発明に係るサブデスクＢは、図１（ｂ）、図２〜図５に示すように、平面視長方形の天板９の両側に配する脚板体１０，１０を、該天板９の下面に固定した少なくとも長辺側の前面が開放した箱状の支持枠１１を利用して着脱可能に取付けるとともに、両側の脚板体１０，１０の後部間に渡して幕板１２を取付け、剛性の高い構造としている。このサブデスクＢの基本構造は、前記メインデスクＡと共通するが、前記メインデスクＡは天板１が固定的であるのに対し、サブデスクＢは天板９を多段階に高さ調節可能であり、更に天板９の奥行幅を天板１の奥行幅よりも狭く設定している。
【００２２】
具体的には、前記サブデスクＢは、天板９の両側部に前記脚板体１０，１０を受け入れる切欠部１３，１３を該天板９の前端部を残して設け、該切欠部１３，１３に脚板体１０，１０の上端部を係合するとともに、前記支持枠１１の側端面に接合した状態で多段階に高さ調節可能にボルト止めし、前記支持枠１１には底板１４を設けて前面開放した収納棚１５としている。
【００２３】
前記脚板体１０の上端部の両側部に、上下に等間隔で取付孔１６，…を形成し、該取付孔１６に挿通したボルト（図示せず）を前記支持枠１１の側端面に設けた螺孔に螺合して取付ける。そして、図７に示すように、前記取付孔１６の位置を選択することにより、前記天板９の高さを調節するのである。
【００２４】
ここで、前記メインデスクＡにおける前記脚板体２の上面と天板１の下面の接合部、前記サブデスクＢにおける前記脚板体１０の上面と天板９の下面の接合部は、挿脱可能なピンダボでの係合構造も前記ボルト止めと併せて採用し、強固な連結を達成している。
【００２５】
図１（ａ）に示すように、前記メインデスクＡは、独立したデスクとして使用することができ、更に前記天板１の下方で一方の脚板体２に寄せてワゴンキャビネットＣを配置して、袖引出し付きのデスクを構成できる。また、前記天板１の上面に前記上棚５を載置して棚付き学習机を構成できる。図１（ｂ）に示すように、前記サブデスクＢは、前記メインデスクＡより奥行幅が狭く、簡易デスクとして独立使用可能である。
【００２６】
そして、本発明は、図８に示すように、前記メインデスクＡを子供部屋に設置するとともに、前記サブデスクＢをリビングルームに設置して使用することができる点に最大の特徴を有している。この場合、前記メインデスクＡは、通常の学習机として機能し、前記サブデスクＢは、簡単且つ軽量構造であるので、移動が容易であり、どこにでも好みの場所に設置することができ、特にリビングルームのようにコミュニケーションを豊かにとれる場所に設置することにより、必然的に子供がリビングルームに滞在する時間が長くなり、もって親や兄弟とのコミュニケーションが活発になって子供の脳の発達を促すことができるのである。この際、前記サブデスクＢの天板９の高さは、子供の体格に応じて調節することができる。尚、前記サブデスクＢを独立して使用する場合、椅子はリビングルームやダイニングルームに備えている子供椅子や通常の椅子を使用することができる。この場合、椅子に応じてサブデスクＢの天板９の高さを最適に設定することも好ましい。ここで、子供が小さいときには、特に子供部屋を設けず、その場合には前記メインデスクＡを適当な部屋に設置して親や兄弟が使用するようにしても良い。
【００２７】
一方、子供が成長して、前記メインデスクＡとサブデスクＢを連結一体化して子供部屋で使用する場合、前記メインデスクＡの一側端とサブデスクＢの前端とを接合した状態で連結し、平面視Ｌ字形のデスクを構成することができる。それには、図３に示すように、前記メインデスクＡの一方の脚板体２を天板１の側部から外すとともに、前記幕板４の一端部との連結を解除し、その外した脚板体２の上端部を該天板１の連結側寄りの後部で、前記支持枠３の後端面に接合した状態で、該支持枠３の一側後部に脚板体２をボルト止めして締結するとともに、該脚板体２を前記幕板４の後面に接合した状態でお互いを連結する。そして、図２〜図５に示すように、前記サブデスクＢの天板９の前端一側寄りに、前記メインデスクＡの脚板体２を付け替えた側の天板１の側端を接合し、両天板１，９の接合部にわたった下面に前記連結部材６，６を配してボルト止め連結するのである。
【００２８】
ここで、前記連結部材６は、ブロック状の部材であり、前記支持枠３，１１の上下寸法と略一致した高さを有し、二対の通孔１７，１７に下方から通したボルト１８，１８を天板１の側部下面及び天板９の前部下面に設けた螺孔１９，１９に螺合して連結するのである。尚、前記サブデスクＢの天板９の前部に設ける螺孔１９は、左右対称位置にそれぞれ二つずつ形成し、前記メインデスクＡの天板１の側部に設ける螺孔１９は、該天板１の後端とサブデスクＢの天板９の一側端を面一となして接合した際に前記天板９の螺孔１９に対応する位置に同数設けている。つまり、サブデスクＢの天板９に二対の螺孔１９，１９を設けるだけで、メインデスクＡの天板１の左右何れの側にも連結することができる。また、前記メインデスクＡとサブデスクＢを独立して使用する場合には、前記連結部材６，６は使用しないので、該連結部材６，６をメインデスクＡの天板１の下面で、前記支持枠３で囲まれた空間の後部にボルト止めして格納することが好ましい。
【００２９】
図６は、前記メインデスクＡとサブデスクＢを平面視Ｌ字形に連結一体化した使用態様で、前記上棚５として横長のものを用い、メインデスクＡの天板１の後部と、サブデスクＢの天板９の側部にわたって該上棚５を載置した状態を示したものである。
【図面の簡単な説明】
【００３０】
【図１】本発明に係るデスクシステムの独立使用形態を示し、（ａ）はメインデスクの斜視図、（ｂ）はサブデスクの斜視図である。
【図２】同じくデスクシステムの連結使用形態における斜視図である。
【図３】メインデスクとサブデスクを連結する構造を示す分解斜視図である。
【図４】メインデスクとサブデスクを連結した状態の平面図である。
【図５】同じく部分拡大縦断面図である。
【図６】デスクシステムの連結使用形態における上棚の変形例を示す斜視図である。
【図７】サブデスクの天板の高さを低くした状態の斜視図である。
【図８】子供部屋にメインデスクを設置し、リビングルームにサブデスクを設置して使用する場合の家の間取りを示した説明図である。
【符号の説明】
【００３１】
Ａ  メインデスク、        Ｂ  サブデスク、
Ｃ  ワゴンキャビネット、
１  天板、                ２  脚板体、
３  支持枠、              ４  幕板、
５  上棚、                ６  連結部材、
７  引出し、              ８  収納部、
９  天板、                １０  脚板体、
１１  支持枠、            １２  幕板、
１３  切欠部、            １４  底板、
１５  収納棚、            １６  取付孔、
１７  通孔、              １８  ボルト、
１９  螺孔。
【図１】
2009011459.tif 000003
【図２】
2009011459.tif 000004
【図３】
2009011459.tif 000005
【図４】
2009011459.tif 000006
【図５】
2009011459.tif 000007
【図６】
2009011459.tif 000008
【図７】
2009011459.tif 000009
【図８】
2009011459.tif 000010